(57)【特許請求の範囲】
【請求項１】
蒸散容器をセット可能にする容器収納部を備え、容器収納部にヒータを内蔵し、容器収納部の前面に香気流通路を介して外気遮蔽壁を設け、香気流通路の一端側に外気取入口を、他端側に香気放散口を形成した芳香器であって、
蒸散容器を容器収納部に収納した状態で、蒸散容器の底面はヒータの加熱面に沿うようにセットされ、蒸散容器の香気蒸散面は、香気流通路及び外気遮蔽壁に対面するようにセットされる芳香器。
【請求項２】
前記ヒータは、容器収納部に上下に延在する仕切壁に内蔵され、
前記仕切壁の容器収納部に臨む表面を加熱面とし、
蒸散容器を容器収納部に収納した状態で、蒸散容器の香気蒸散面と香気流通路が上下に延在している請求項１に記載の芳香器。
【請求項３】
前記外気遮蔽壁の前記香気流通路に対する反対側に前記外気取入口を備える外気誘導路を形成し、香気流通路の一端を外気遮蔽路の下部で外気誘導路につないだ請求項１又は２に記載の芳香器。
【請求項４】
前記外気取入口の開度を調整するシャッタを設けた請求項１〜３のいずれかに記載の芳香器。
【発明の詳細な説明】
【０００１】
【発明の属する技術分野】
本発明は芳香器に関する。
【０００２】
【従来の技術】
芳香器として、蒸散容器をセット可能にする容器収納部を備え、容器収納部にヒータを内蔵し、容器収納部の前面に香気流通路を介して外壁を設け、外壁に外気取入口を開口し、香気流通路の上端側に香気放散口を設けたものがある。
【０００３】
【発明が解決しようとする課題】
容器収納部の前面に設けた外壁に外気取入口を開口した。従って、外気取入口から入る外気が、容器収納部にセットされた蒸散容器の香気蒸散面に直にあたる。このため、蒸散容器の内部の蒸散剤は、ヒータによって加熱されると同時に、外気によって空冷され、蒸散しにくく、所望の香気放散量を得ることができない。
【０００４】
本発明の課題は、芳香器にセットした蒸散容器に及ぶ外気の空冷作用を抑制し、香気放散性を向上することにある。
【０００５】
【課題を解決するための手段】
請求項１の発明は、蒸散容器をセット可能にする容器収納部を備え、容器収納部にヒータを内蔵し、容器収納部の前面に香気流通路を介して外気遮蔽壁を設け、香気流通路の一端側に外気取入口を、他端側に香気放散口を形成した芳香器であって、蒸散容器を容器収納部に収納した状態で、蒸散容器の底面はヒータの加熱面に沿うようにセットされ、蒸散容器の香気蒸散面は、香気流通路及び外気遮蔽壁に対面するようにセットされるようにしたものである。
【０００６】
【発明の実施の形態】
芳香器１０は、図１、図２に示す如く、プラスチック製ハウジング１１に蒸散容器３０をセット可能にする容器収納部１２を備える。本実施形態では、ハウジング１１の相対する側壁の中央を結んで上下に延在する仕切壁１３を設けるとともに、各側壁において仕切壁１３の一方側と他方側の前方に蒸散容器３０の厚み分だけ離隔する位置に容器保持凸部１４を突設し、仕切壁１３の一方側と他方側で該仕切壁１３と両側壁の凸部１４に挟まれるスペースのそれぞれを容器収納部１２とする。
【０００７】
芳香器１０は、両容器収納部１２を構成する仕切壁１３に電熱ヒータ板１５（ヒータ）を内蔵し、仕切壁１３の容器収納部１２に臨む表面を加熱面１６とする。ハウジング１１の背面には差込プラグ１７が設けられ、ヒータ板１５のヒータ素子１５Ａとプラグ１７をリード線により接続している。プラグ１７を居室の壁面に設けたコンセントに差込んでヒータ板１５に給電することにより使用する。
【０００８】
芳香器１０のハウジング１１は、両容器収納部１２のそれぞれの前面に香気流通路１８を介して両外気遮蔽壁１９のそれぞれを設け、各香気流通路１８の一端側に外気取入口２１を、他端側に香気放散口２２を形成する。
【０００９】
芳香器１０のハウジング１１は、両外気遮蔽壁１９のそれぞれにおける香気流通路１８に対する反対側に外壁２０を設け、外壁２０と外気遮蔽壁１９の間を外気誘導路２３とし、外気誘導路２３のための外気取入口２１（本実施形態では片側の外壁２０あたり４個の外気取入口２１）を外壁２０に開口している。そして、芳香器１０は、各香気流通路１８の一端を各外気遮蔽壁１９の下部で各外気誘導路２３につないでいる。
【００１０】
芳香器１０は、各外気取入口２１の開度を調整するシャッタ２４を、ハウジング１１の両外壁２０のそれぞれにスライド可能に設けている。本実施形態では、シャッタ２４を不図示のノブにより図２の上方に上げることにより、下位側の外気取入口２１から上位側の外気取入口２１の順に開く。
【００１１】
蒸散容器３０は、図２に示す如く、プラスチック成形体であり、蒸散剤１を収容する長細状のケース３１が陥凹状の剤収容部３１Ａの開口の周囲にフランジ３１Ｂを備え、剤収容部３１Ａの開口を覆うガス透過性のフィルム３２（香気蒸散面）をフランジ３１Ｂにシールしている。蒸散剤１は、香料（殺虫剤等であっても良い）と溶剤とゲル化物を混合ゲル化したものを使用できる。
【００１２】
蒸散容器３０をハウジング１１の容器収納部１２に収納した状態で、ケース３１の底面３１Ｃは仕切壁１３の加熱面１６に隙間なく又は微小隙間を介して沿うようにセットされ、剤収容部３１Ａを覆うフィルム３２は香気流通路１８に臨むようにセットされる。
【００１３】
蒸散装置１０にあっては、ハウジング１１の容器収納部１２に蒸散容器３０を交換可能に収納して用いられ、蒸散容器３０をケース３１の外側から加熱面１６によって加熱し、蒸散剤１の香気をフィルム３２に透過させて香気流通路１８に蒸散させる。香気流通路１８に蒸散せしめられた蒸散剤１の香気は、外気取入口２１から外気誘導路２３を経由して香気流通路１８に導入された空気の流れとともに香気放散口２２から外部空間へと放散する。
【００１４】
本実施形態によれば以下の作用がある。
(a)芳香器１０が備える容器収納部１２の前面に外気遮蔽壁１９を設けた。従って、外気取入口２１から入る外気は、容器収納部１２にセットされた蒸散容器３０の香気蒸散面（フィルム３２）に直にあたることなく、むしろ香気流通路１８に至るまでの経路（外気誘導路２３）で電熱ヒータ板１５の伝熱雰囲気の影響を受けて徐々に昇温されてから該香気流通路１８に導入される。このため、蒸散容器３０の内部の蒸散剤１は、外気の空冷作用を受けて降温せしめられることなく、ヒータ板１５の加熱によって昇温されてスムースに香気流通路１８に蒸散する。これにより、香気放散口２２から所望の香気放散量を得ることができる。
【００１５】
(b)外気遮蔽壁１９の外側に外気誘導路２３を設け、この外気誘導路２３を外気遮蔽壁１９の下部で香気流通路１８につないだ。従って、外気誘導路２３と香気流通路１８が略Ｕ字状をなすように連通され、芳香器１０のサイズを長大化することなく、外気取入口２１から香気流通路１８に至るまでの上述(a)の経路（外気誘導路２３）を長くする。これにより、芳香器１０をコンパクト化しながら、外気取入口２１から入る外気を確実に昇温して香気流通路１８に導入することができる。
【００１６】
(c)シャッタ２４による外気取入口２１の開度調整により、外気取入量を調整し、ひいては香気放散量を制御できる。そして、香気放散量を多くするようにシャッタ２４の開度を大きくし、外気取入量を多くするときにも、蒸散容器３０の内部の蒸散剤１は上述(a)、(b)の外気遮蔽壁１９の空冷抑制作用により降温せしめられることがなく、多量の香気を放散可能にする。
【００１７】
【発明の効果】
以上のように本発明によれば、芳香器にセットした蒸散容器に及ぶ外気の空冷作用を抑制し、香気放散性を向上することができる。
【図面の簡単な説明】
【図１】図１は芳香器を示す斜視図である。
【図２】図２は芳香器を示す断面図である。
【符号の説明】
１０  芳香器
１２  容器収納部
１５  電熱ヒータ板（ヒータ）
１８  香気流通路
１９  外気遮蔽壁
２１  外気取入口
２２  香気放散口
２３  外気誘導路
２４  シャッタ
３０  蒸散容器
【図１】
0003901567.tif 000002
【図２】
0003901567.tif 000003